(57)【要約】【課題】電極間を容易に絶縁できるＥＬ発光装置を提供する。【解決手段】無機ＥＬ発光装置１は、基材１１と、基材１１に形成された第１電極１２と、第１電極１２とは積層方向において異なる層に形成され、平面視において第１電極１２とは少なくとも一部が異なる領域に形成された第２電極２２と、第２電極２２上に形成された誘電体層２３と、誘電体層２３上に形成された発光層２４と、発光体層２４上に形成された透明電極２５とを備えている。【選択図】図３
2010129436.tif 000002
【特許請求の範囲】
【請求項１】
基材と、
基材に形成された第１電極と、
前記第１電極とは積層方向において異なる層に形成され、平面視において前記第１電極とは少なくとも一部が異なる領域に形成された第２電極と、
前記第２電極上に形成された誘電体層と、
前記誘電体層上に形成された発光層と、
前記発光体層上に形成された対向電極とを備えていることを特徴とするＥＬ発光装置。
【請求項２】
前記第１電極と前記第２電極との間には、絶縁層が形成されていることを特徴とする請求項１に記載のＥＬ発光装置。
【請求項３】
前記第１電極に対する前記第２電極の相対位置を変更可能に構成されていることを特徴とする請求項１または請求項２に記載のＥＬ発光装置。
【請求項４】
前記第１電極及び前記第２電極は、第１相対位置と、前記第１相対位置よりも平面視における前記第１電極及び前記第２電極の重複領域が多い第２相対位置との間で移動可能に構成されていることを特徴とする請求項１〜請求項３のいずれか１項に記載のＥＬ発光装置。
【請求項５】
前記第１電極は、外部と接続される第１主部と、前記第１主部から交差する方向に延び、互いに間隔を空けて形成された複数の第１枝部とを有し、
前記第２電極は、外部と接続される第２主部と、前記第２主部から交差する方向に延び、互いに間隔を空けて形成された複数の第２枝部とを有し、
前記第１相対位置では、平面視において、前記第１枝部が前記第２枝部間に位置するとともに、前記第２枝部が前記第１枝部間に位置し、
前記第２相対位置では、前記第１枝部と前記第２枝部とが、平面視にて互いに重複することを特徴とする請求項４に記載のＥＬ発光装置。
【請求項６】
前記第１枝部の幅及び前記第２枝部の幅は、前記両枝部が配列された方向に沿って大きくなることを特徴とする請求項４または請求項５に記載のＥＬ発光装置。
【請求項７】
前記第１枝部間の間隔及び前記第２枝部間の間隔は、前記両枝部が配列された方向に沿って大きくなることを特徴とする請求項４または請求項６に記載のＥＬ発光装置。
【請求項８】
前記第１電極及び前記第２電極の相対位置を変更可能に保持する枠部を更に備え、
前記枠部は、前記第１電極及び前記第２電極を前記第１相対位置及び前記第２相対位置に位置決め可能に構成されていることを特徴とする請求項４〜請求項７のいずれか１項に記載のＥＬ発光装置。
【請求項９】
前記第１電極は、外部と接続される第１主部と、前記第１主部から交差する方向に延び、互いに間隔を空けて形成された複数の第１枝部とを有し、
前記第２電極は、外部と接続される第２主部と、前記第２主部から交差する方向に延び、互いに間隔を空けて形成された複数の第２枝部とを有し、
前記第１枝部及び前記第２枝部の延びる方向に、前記第１電極及び前記第２電極の相対位置が変更可能に構成されていることを特徴とする請求項１〜請求項３のいずれか１項に記載のＥＬ発光装置。
【請求項１０】
前記第１電極または前記第２電極を回転可能に支持する軸部材を更に備え、
前記第１電極は、外部と接続される第１主部と、前記軸部材を中心として前記第１主部から放射状に延びる複数の第１枝部とを有し、
前記第２電極は、外部と接続される第２主部と、前記軸部材を中心として前記第２主部から放射状に延びる複数の第２枝部とを有し、
前記第１枝部及び前記第２枝部は、ともに回転方向において一定角度間隔で配置されていることを特徴とする請求項１〜請求項４のいずれか１項に記載のＥＬ発光装置。
【請求項１１】
前記第１電極または前記第２電極を回転可能に支持する軸部材を更に備え、
前記第１電極は、外部と接続される第１主部と、前記第１主部から延び、前記軸部材を中心とする円弧状に形成された複数の第１枝部とを有し、
前記第２電極は、外部と接続される第２主部と、前記第２主部から延び、前記軸部材を中心とする円弧状に形成された複数の第２枝部とを有し、
前記第１枝部及び前記第２枝部は、ともに半径方向に間隔を空けて配置されていることを特徴とする請求項１〜請求項３のいずれか１項に記載のＥＬ発光装置。
【発明の詳細な説明】
【技術分野】
【０００１】
本発明は、平面視において、少なくとも一部が異なる領域に形成された一対の電極を備えたＥＬ（エレクトロルミネッセンス）発光装置に関する。
【背景技術】
【０００２】
従来、無機ＥＬ等のＥＬ発光装置が知られている。
【０００３】
特許文献１には、ベース層と、ベース層上に形成された第１電極及び第２電極と、電極上に形成されたＥＬ発光層と、ＥＬ発光層上に形成された導電材料とを備えたＥＬ発光装置が開示されている。第１電極及び第２電極は、ベース層上に互いに所定間隔が空くように櫛歯状にパターニングされている。これにより、第１電極と第２電極は、互いに絶縁されている。
【０００４】
特許文献１のＥＬ発光装置では、第１電極と第２電極との間に電圧が印加されると、第１電極と、導電材料と、第２電極との間に電位差が生じる。これにより、導電材料の下方のＥＬ発光層内に交流電界が形成されて、発光する。
【特許文献１】特許第３７３０９７１号
【発明の開示】
【発明が解決しようとする課題】
【０００５】
しかしながら、特許文献１の技術では、第１電極と第２電極とをパターニングする際に、所望のパターンにならず、互いが接触することがあり、絶縁が困難であるといった課題がある。
【０００６】
本発明は、上述した課題を解決するために創案されたものであり、電極間を容易に絶縁できるＥＬ発光装置を提供することを目的としている。
【課題を解決するための手段】
【０００７】
請求項１の発明は、基材と、基材に形成された第１電極と、前記第１電極とは積層方向において異なる層に形成され、平面視において前記第１電極とは少なくとも一部が異なる領域に形成された第２電極と、前記第２電極上に形成された誘電体層と、前記誘電体層上に形成された発光層と、前記発光体層上に形成された対向電極とを備えていることを特徴とする。
【０００８】
請求項２の発明は、前記第１電極と前記第２電極との間には、絶縁層が形成されていることを特徴とする。
【０００９】
請求項３の発明は、前記第１電極に対する前記第２電極の相対位置を変更可能に構成されていることを特徴とする。
【００１０】
請求項４の発明は、前記第１電極及び前記第２電極は、第１相対位置と、前記第１相対位置よりも平面視における前記第１電極及び前記第２電極の重複領域が多い第２相対位置との間で移動可能に構成されていることを特徴とする。
【００１１】
請求項５の発明は、前記第１電極は、外部と接続される第１主部と、前記第１主部から交差する方向に延び、互いに間隔を空けて形成された複数の第１枝部とを有し、前記第２電極は、外部と接続される第２主部と、前記第２主部から交差する方向に延び、互いに間隔を空けて形成された複数の第２枝部とを有し、前記第１相対位置では、平面視において、前記第１枝部が前記第２枝部間に位置するとともに、前記第２枝部が前記第１枝部間に位置し、前記第２相対位置では、前記第１枝部と前記第２枝部とが、平面視にて互いに重複することを特徴とする。
【００１２】
請求項６の発明は、前記第１枝部の幅及び前記第２枝部の幅は、前記両枝部が配列された方向に沿って大きくなることを特徴とする。
【００１３】
請求項７の発明は、前記第１枝部間の間隔及び前記第２枝部間の間隔は、前記両枝部が配列された方向に沿って大きくなることを特徴とする。
【００１４】
請求項８の発明は、前記第１電極及び前記第２電極の相対位置を変更可能に保持する枠部を更に備え、前記枠部は、前記第１電極及び前記第２電極を前記第１相対位置及び前記第２相対位置に位置決め可能に構成されていることを特徴とする。
【００１５】
請求項９の発明は、前記第１電極は、外部と接続される第１主部と、前記第１主部から交差する方向に延び、互いに間隔を空けて形成された複数の第１枝部とを有し、前記第２電極は、外部と接続される第２主部と、前記第２主部から交差する方向に延び、互いに間隔を空けて形成された複数の第２枝部とを有し、前記第１枝部及び前記第２枝部の延びる方向に、前記第１電極及び前記第２電極の相対位置が変更可能に構成されていることを特徴とする。
【００１６】
請求項１０の発明は、前記第１電極または前記第２電極を回転可能に支持する軸部材を更に備え、前記第１電極は、外部と接続される第１主部と、前記軸部材を中心として前記第１主部から放射状に延びる複数の第１枝部とを有し、前記第２電極は、外部と接続される第２主部と、前記軸部材を中心として前記第２主部から放射状に延びる複数の第２枝部とを有し、前記第１枝部及び前記第２枝部は、ともに回転方向において一定角度間隔で配置されていることを特徴とする。
【００１７】
請求項１１の発明は、前記第１電極または前記第２電極を回転可能に支持する軸部材を更に備え、前記第１電極は、外部と接続される第１主部と、前記第１主部から延び、前記軸部材を中心とする円弧状に形成された複数の第１枝部とを有し、前記第２電極は、外部と接続される第２主部と、前記第２主部から延び、前記軸部材を中心とする円弧状に形成された複数の第２枝部とを有し、前記第１枝部及び前記第２枝部は、ともに半径方向に間隔を空けて配置されていることを特徴とする。
【発明の効果】
【００１８】
本発明によれば、第１電極と第２電極とを異なる層に形成することによって、第１電極と第２電極とを容易に絶縁することができる。
【発明を実施するための最良の形態】
【００１９】
（第１実施形態）
以下、図面を参照して、本発明を無機ＥＬ発光装置に適用した第１実施形態について説明する。
【００２０】
図１は、第１実施形態による無機ＥＬ発光装置の点灯位置での全体斜視図である。図２は、無機ＥＬ発光装置の分解図である。図３は、本体下部及び本体上部の積層構造図である。図４は、消灯位置での無機ＥＬ発光装置の全体斜視図である。尚、以下の説明において、図１の矢印で示すＸＹＺをＸＹＺ方向とする。尚、点灯位置が、請求項に記載の第１相対位置に相当する。消灯位置が、請求項に記載の第２相対位置に相当する。また、Ｚ方向が、請求項に記載の積層方向に相当する。
【００２１】
図１及び図２に示すように、第１実施形態による無機ＥＬ発光装置１は、本体下部２と、本体上部３と、枠部４とを備えている。
【００２２】
図３に示すように、本体下部２は、基材１１と、第１電極１２と、保護層１３とを備えている。尚、基材１１が、請求項に記載の基材に相当する。保護層１３が、請求項の絶縁層に相当する。
【００２３】
基材１１は、紙や樹脂等のフレキシブルな材料からなる。基材１１は、平面視にて、長方形の面状に形成されている。
【００２４】
第１電極１２は、銀ペーストやカーボンペーストを含む導電性材料からなる。第１電極１２は、基材１１上に形成されている。第１電極１２は、平面視にて、主部１５及び３本の枝部１６を含む櫛歯状に形成されている。
【００２５】
主部１５は、基材１１の＋Ｙ側の一辺に沿って、Ｘ方向に延びるように形成されている。主部１５の−Ｘ方向の端部は、基材１１の外側まで延びて露出している。主部１５の露出部には、交流電源が接続される接続部１７が形成されている。
【００２６】
枝部１６は、主部１５から−Ｙ方向に延びるように形成されている。即ち、枝部１６は、主部１５と交差する方向（直交方向）に延びている。３本の枝部１６は、一定の間隔Ｄを空けて周期的にＸ方向に配列されている。全ての枝部１６は、同じ幅Ｗで形成されている。尚、枝部１６の本数は、適宜変更可能である。
【００２７】
保護層１３は、第１電極１２を保護するためのものである。保護層１３は、絶縁性の樹脂からなる。保護層１３は、基材１１及び第１電極１２の上面を覆うように形成されている。
【００２８】
図３に示すように、本体上部３は、基材２１と、第２電極２２と、誘電体層２３と、発光層２４と、透明電極２５と、保護層２６とを備えている。第１電極１２を含む本体下部２と第２電極２２を含む本体上部３は、相対位置を変更可能な別部品として構成されている。透明電極２５が、請求項に記載の対向電極に相当する。
【００２９】
基材２１は、紙や樹脂等のフレキシブルな材料からなる。基材２１は、平面視にて、基材１１と同じ長方形の面状に形成されている。
【００３０】
第２電極２２は、銀ペーストやカーボンペーストを含む導電性材料からなる。第２電極２２は、基材２１上に形成されている。即ち、第２電極２２は、積層方向（Ｚ方向）において、第１電極１２とは異なる層に形成されている。第２電極２２は、平面視にて、主部２７及び３本の枝部２８を含む櫛歯状に形成されている。
【００３１】
主部２７は、基材２１の−Ｙ側の一辺に沿って、Ｘ方向に延びるように形成されている。主部２７の−Ｘ方向の端部は、基材２１の外側まで延びて露出している。主部２７の露出部には、交流電源が接続される接続部２９が形成されている。
【００３２】
枝部２８は、主部２７から＋Ｙ方向に延びるように形成されている。即ち、枝部２８は、主部２７と交差する方向（直交方向）に延びている。３本の枝部２８は、一定の間隔Ｄを空けて周期的にＸ方向に配列されている。ここで、第２電極２２の隣接する枝部２８間の間隔Ｄは、第１電極１２の隣接する枝部１６間の間隔Ｄと同じである。全ての枝部２８は、第１電極１２の枝部１６と同じ幅Ｗで形成されている。
【００３３】
枝部２８は、図１に示す点灯位置では、枝部１６と隣接する枝部１６との中央に配置されている。即ち、平面視にて、第２電極２２の枝部２８は、第１電極１２の枝部１６とは異なる領域に配置される。また、枝部２８は、図４に示す消灯位置では、枝部１６と同じ位置に配置される。即ち、平面視にて、第２電極２２の枝部２８は、第１電極１２の枝部１６と重複する。
【００３４】
誘電体層２３は、発光層２４と第２電極２２とを絶縁するためのものである。誘電体層２３は、チタン酸バリウムを含む誘電体材料からなる。誘電体層２３は、基材２１及び第２電極２２を覆うように形成されている。
【００３５】
発光層２４は、光を発光（蛍光）させるためのものである。発光層２４は、ＺｎＳ系の蛍光材料からなる。発光層２４は、誘電体層２３を覆うように形成されている。
【００３６】
透明電極２５は、平面視における発光させる光の形状（領域）を特定するためのものである。従って、透明電極２５は、所望の形状（例えば、「Ａ」）に形成されている。透明電極２５は、発光層２４上に形成されている。透明電極２５は、光を透過可能なＩＴＯ（インジウム・スズ・酸化物）またはＩＺＯ（インジウム・亜鉛・酸化物）等の導電性材料からなる。
【００３７】
保護層２６は、発光層２４及び透明電極２５を保護するためのものである。保護層２６は、光を透過可能な絶縁性の樹脂からなる。
【００３８】
枠部４は、第１電極１２を含む本体下部２と第２電極２２を含む本体上部３とを互いの相対位置を変更可能に保持するためのものである。枠部４は、樹脂からなる。枠部４は、底面部３１と、一対の側面部３２、３３とを有する。
【００３９】
底面部３１は、平面視にて、長方形の板状に形成されている。底面部３１のＸ方向の長さは、本体下部２及び本体上部３よりも長い。
【００４０】
側面部３２（３３）は、底面部３１の＋Ｙ方向側（−Ｙ方向側）の端部に沿って、垂直に立設されている。側面部３２（３３）の内面には、下溝３２ａ（３３ａ）及び上溝３２ｂ（３３ｂ）が形成されている。
【００４１】
下溝３２ａ（３３ａ）は、本体下部２を嵌合するためのものである。下溝３２ａ（３３ａ）のＸ方向の長さＬ１は、本体下部２のＸ方向の長さＬ２よりも摺動長さＬ３だけ長く形成されている。これにより、図４に示すように、下溝３２ａ（３３ａ）は、本体下部２を長さＬ３だけＸ方向に移動可能（スライド可能）に保持できる。ここで、摺動長さＬ３は、平面視における第１電極１２の幅Ｗ及び第１電極１２と隣接する第１電極１２との間隔Ｄを用いて、
Ｌ３＝（Ｄ＋Ｗ）／２
と表すことができる。
【００４２】
また、図１に示すように、本体下部２を下溝３２ａ（３３ａ）の−Ｘ方向側の端部に配置することによって、第１電極１２及び第２電極２２が点灯位置に位置決めされる。一方、図４に示すように、本体下部２を下溝３２ａ（３３ａ）の＋Ｘ方向側の端部に配置することによって、第１電極１２及び第２電極２２が消灯位置に位置決めされる。
【００４３】
即ち、本体下部２を下溝３２ａ（３３ａ）内で移動させることによって、発光層２４が発光する点灯位置（第１相対位置）から発光層２４が消灯する消灯位置（第２相対位置）へと移動させ及び位置決めすることができる。
【００４４】
上溝３２ｂ（３３ｂ）は、本体上部３を嵌合するためのものである。上溝３２ｂ（３３ｂ）は、下溝３２ａ（３３ａ）の上方に、且つ、下溝３２ａ（３３ａ）と平行に形成されている。上溝３２ｂ（３３ｂ）のＸ方向の長さＬ２は、本体上部３のＸ方向の長さＬ２と略同じ長さに形成されている。これにより、上溝３２ｂ（３３ｂ）は、本体上部３を枠部４に対して移動不能に固定する。
【００４５】
次に、上述した第１実施形態によるＥＬ発光装置１の動作を説明する。図５は、点灯位置における本体上部と本体下部の関係を示す平面図である。図６は、点灯位置と消灯位置の途中部での本体上部と本体下部の関係を示す平面図である。図７は、消灯位置における本体上部と本体下部の関係を示す平面図である。
【００４６】
尚、図５〜図７は、動作を説明するための概略図である。従って、便宜上、下溝３２ａ、３３ａの位置と上溝３２ｂ、３３ｂの位置とを、Ｙ方向において異なる位置に図示している。また、溝の位置変更に伴い、基材１１のＹ方向の幅を、基材２１の幅よりも大きく図示している。
【００４７】
まず、第１電極１２と第２電極２２との間には、交流電源８１が接続される。この状態で、図１及び図５に示す点灯位置のように、第１電極１２の枝部１６が、隣接する第２電極２２の枝部２８と第２電極２２の枝部２８との間に配置されると、第１電極１２と透明電極２５との間、及び、第２電極２２と透明電極２５との間に電界が形成される。これにより、発光層２４内の電荷が励起されて発光（ＥＬ発光）する点灯状態となる。ここで、発光は、電界が形成される透明電極２５の下方及びその近傍の発光層２４でのみ生じる。この結果、透明電極２５と略同じ形状の光が、外部に照射される。
【００４８】
次に、図６に示すように、本体下部２を下溝３２ａ、３３ａ内で＋Ｘ方向に移動させると、第１電極１２の枝部１６の一部と第２電極２２の枝部２８の一部とが重なる。これにより、交流電源８１から電力を供給しても、第１電極１２と第２電極２２とが重複していない領域の第１電極１２及び第２電極２２と透明電極２５との間でのみ電界が生じる。このため、発光層２４は発光するが、図１及び図５に示す点灯状態よりも弱い光が発光する。
【００４９】
次に、図４及び図７に示す消灯位置のように、本体下部２を更に＋Ｘ方向に移動させると、平面視において、第１電極１２の枝部１６と第２電極２２の枝部２８とがほとんど重なる。これにより、交流電源８１から電力を供給しても、第１電極１２及び第２電極２２との間で電界が生じるのみで、発光層２４及び透明電極２５まで、電界が延びない。このため、発光層２４から光が発光しない消灯状態となる。
【００５０】
次に、上述した第１実施形態による無機ＥＬ発光装置１の製造方法の一例を説明する。
【００５１】
まず、基材１１上にポリエステル系の樹脂（例えば、ＰＥＴ：ポリエチレンテレフテレート）とカーボンとを混合させたペーストをスクリーン印刷法によって、第１電極１２の形状に印刷する。この後、１００℃〜１５０℃の温度で数十分乾燥させることにより、ペーストを硬化させて、第１電極１２を形成する。次に、第１電極１２上にポリエステル系の樹脂を塗布して、１００℃〜１５０℃の温度で乾燥させることにより硬化させて、保護膜１３を形成する。これにより、本体下部２が完成する。
【００５２】
次に、基材２１上にポリエステル系の樹脂とカーボンとを混合させたペーストをスクリーン印刷法によって、第２電極２２の形状に印刷する。この後、１００℃〜１５０℃の温度で数十分乾燥させることにより、ペーストを硬化させて、第２電極２２を形成する。
【００５３】
次に、チタン酸バリウムとフッ素ゴム系樹脂を混合させたペーストを、基材２１及び第２電極２２上の全面を覆うように塗布する。この後、７０℃〜１４０℃の温度で数分乾燥させることにより、ペーストを硬化させる。この工程を複数回繰り返すことによって、多層構造の誘電体層２３を形成する。
【００５４】
次に、ＺｎＳ系の蛍光体粉とポリエステル系樹脂とを混合させたペーストを、誘電体層２３上の全面に塗布する。この後、７０℃〜１４０℃の温度で数十分乾燥させることにより、ペーストを硬化させて、発光層２４を形成する。
【００５５】
次に、スクリーン印刷法によって、ＩＴＯ粉末を樹脂溶液に分散させたＩＴＯインキを発光層２４上に所望の形状（例えば、「Ａ」）で印刷する。この後、ＩＴＯインキの溶媒を蒸発させて、透明電極２５を形成する。
【００５６】
次に、光を透過可能なポリエステル系樹脂によって、発光層２４及び透明電極２５を覆うように保護層２６を形成する。これにより、本体上部３が完成する。
【００５７】
次に、図２に示すように、射出成型等の別工程によって形成した枠部４に本体下部２及び本体上部３を嵌め込む。これにより、無機ＥＬ発光装置１が完成する。
【００５８】
上述したように、第１実施形態による無機ＥＬ発光装置１では、第１電極１２と第２電極２２とが異なる部品の異なる層に形成されている。これにより、第１電極１２及び第２電極２２が接触することを抑制できるので、第１電極１２及び第２電極２２を容易に絶縁できる。更に、絶縁性の保護層１３によって第１電極１２を覆うことによって、より第１電極１２と第２電極２２との絶縁性を向上させることができる。
【００５９】
また、無機ＥＬ発光装置１では、第１電極１２を含む本体下部２が、枠部４の下溝３２ａ、３３ａに移動可能に保持されているので、第１電極１２を含む本体下部２と第２電極２２を含む本体上部３との相対位置を変更することができる。これにより、第１電極１２の枝部１６と第２電極２２の枝部２８との重複領域を変更することができる。この結果、本体下部２を移動させることによって、点灯状態及び消灯状態に切り替えることができる。更に、本体下部２を適度に移動させることによって、光の強さを変更することができる。
【００６０】
また、無機ＥＬ発光装置１では、枠部４の下溝３２ａ、３３ａの両端によって、本体下部２を、図１に示す点灯位置と図４に示す消灯位置とに位置決めすることができるので、容易に点灯状態と消灯状態とに切り替えることができる。
【００６１】
（第２実施形態）
次に、上述した実施形態を部分的に変更した第２実施形態について説明する。図８は、第２実施形態の無機ＥＬ発光装置の図５相当図である。図９は、第２実施形態の無機ＥＬ発光装置の図７相当図である。尚、上述した実施形態と同様の構成は、同じ符号を付けて説明する。
【００６２】
第２実施形態による無機ＥＬ発光装置１Ａは、第１実施形態とは第１電極１２Ａ及び第２電極２２Ａのパターニングが異なる。
【００６３】
図８に示すように、第２実施形態による無機ＥＬ発光装置１Ａでは、第１電極１２Ａの枝部１６Ａの幅は、配列方向である＋Ｘ方向に徐々に大きくなるように形成されている。また、第２電極２２Ａの枝部２８Ａの幅も、配列方向である＋Ｘ方向に徐々に大きくなるように形成されている。尚、第１電極１２Ａの枝部１６Ａの幅及び第２電極２２Ａの枝部２８Ａの幅は、同じパターンで形成されている。
【００６４】
また、第１電極１２Ａの隣接する枝部１６Ａの間隔は、配列方向である＋Ｘ方向において、等しくなるように形成されている。また、第２電極２２Ａの隣接する枝部２８Ａの間隔も、配列方向である＋Ｘ方向において、等しくなるように形成されている。第１電極１２Ａの隣接する枝部１６Ａ間の間隔及び第２電極２２Ａの隣接する枝部２８Ａ間の間隔も、同じパターンで形成されている。
【００６５】
次に、第２実施形態による無機ＥＬ発光装置１Ａの動作を説明する。
【００６６】
まず、図８に示す点灯位置のように、第１電極１２Ａの枝部１６Ａ及び第２電極２２Ａの枝部２８Ａとが重複しない位置に配置されると、透明電極２５のパターンで発光層２４が発光する。ここで、第２実施形態による無機ＥＬ発光装置１Ａでは、枝部１６Ａの幅及び枝部２８Ａの幅は、＋Ｘ方向に沿って大きくなるので、＋Ｘ方向に沿って発光する光が強くなる。
【００６７】
次に、図９に示す消灯位置のように、第１電極１２Ａを枠部４の下溝３２ａ、３３ａに沿って、＋Ｘ方向の端部まで移動させて、第１電極１２Ａの枝部１６Ａと第２電極２２Ａの枝部２８Ａとを重複させる。これにより、交流電源８１が接続されていても、電界が生じないので、発光層２４が消灯する。
【００６８】
上述したように第２実施形態による無機ＥＬ発光装置１Ａでは、第１電極１２Ａの枝部１６Ａの幅及び第２電極２２Ａの枝部２８Ａの幅が、＋Ｘ方向に沿って徐々に大きくなるように構成したので、光の強さを＋Ｘ方向に沿って変えることができる（グラデーション発光）。これにより、無機ＥＬ発光装置１Ａでは、デザイン性をより向上させることができる。
【００６９】
また、枝部の幅ではなく、枝部間の間隔をそれぞれ異ならせてもよい。以下、具体的に上述の第２実施形態の変更形態である無機ＥＬ発光装置１Ａ’について、図面を参照して説明する。図１０は、第２実施形態の変更形態の無機ＥＬ発光装置の図５相当図である。図１１は、第２実施形態の変更形態の無機ＥＬ発光装置の図７相当図である。
【００７０】
図１０に示すように、第２実施形態の変更形態である無機ＥＬ発光装置１Ａ’では、第１電極１２Ａ’の隣接する枝部１６Ａ’間の間隔が異なる。枝部１６Ａ’間の間隔は、＋Ｘ方向側の方が狭くなるように構成されている。
【００７１】
また、無機ＥＬ発光装置１Ａ’では、第２電極２２Ａ’の隣接する枝部２８Ａ’間の間隔が異なる。枝部２８Ａ’間の間隔は、＋Ｘ方向側の方が狭くなるように構成されている。
【００７２】
ここで、枝部２８Ａ’間の間隔は、対応する枝部１６Ａ’間の間隔と等しくなるように構成されている。
【００７３】
無機ＥＬ発光装置１Ａ’では、図１０に示す状態が点灯状態である。この無機ＥＬ発光装置１Ａ’では、点灯状態において、隣接する枝部１６Ａ’（２８Ａ’）間の間隔の狭い、＋Ｘ方向側の発光強度が大きくなっている。そして、この状態から、図１１に示すように、第１電極１２Ａ’を移動させて、枝部１６Ａ’と枝部２８Ａ’とを重複させることによって、消灯状態とすることができる。
【００７４】
無機ＥＬ発光装置１Ａ’においても、無機ＥＬ発光装置１Ａと同様の効果を奏することができる。更に、無機ＥＬ発光装置１Ａ及び無機ＥＬ発光装置１Ａ’を組み合わせてもよい。具体的には、各枝部の幅を異ならせつつ、各枝部間の間隔を異ならせてもよい。
【００７５】
（第３実施形態）
次に、上述した実施形態を部分的に変更した第３実施形態について説明する。図１２は、第３実施形態の無機ＥＬ発光装置の図５相当図である。図１３は、第３実施形態の無機ＥＬ発光装置の図６相当図である。図１４は、第３実施形態の無機ＥＬ発光装置の図７相当図である。尚、上述した実施形態と同様の構成は、同じ符号を付けて説明する。
【００７６】
図１２に示すように、第３実施形態による無機ＥＬ発光装置１Ｂでは、第１実施形態とは第１電極１２Ｂ及び第２電極２２Ｂのパターニングが異なる。
【００７７】
第１電極１２Ｂの主部１５Ｂが、基材１１の−Ｘ方向側の端部に沿って、Ｙ方向に延びるように形成されている。第１電極１２Ｂの枝部１６Ｂが、主部１５Ｂから＋Ｘ方向へ延びるように形成されている。
【００７８】
第２電極２２Ｂの主部２７Ｂが、基材２１の＋Ｘ方向側の端部に沿って、Ｙ方向に延びるように形成されている。第２電極２２Ｂの枝部２８Ｂが、主部２７Ｂから−Ｘ方向へ延びるように形成されている。
【００７９】
また、第１電極極１２Ｂは、Ｘ方向に移動可能に枠部４の下溝３２ａ、３３ａに保持されている。即ち、第１電極極１２Ｂ及び第２電極極２２Ｂは、枝部１６Ｂ、２８Ｂの延びる方向において、相対位置を変更することができる。
【００８０】
次に、第３実施形態による無機ＥＬ発光装置１Ｂの動作を説明する。
【００８１】
まず、図１２に示す点灯位置では、第１電極１２Ｂの枝部１６Ｂの先端、及び、第２電極２２Ｂの枝部２８Ｂの先端が、他方の主部１５Ｂ、２７Ｂに最も近づいた状態となる。これにより、透明電極２５のパターンに発光層２４が発光する。
【００８２】
次に、図１３に示すように、基材１１とともに第１電極１２Ｂを、下溝３２ａ、３３ａの途中部まで−Ｘ方向に移動させる。この途中位置では、第１電極１２Ｂの枝部１６Ｂと第２電極２２Ｂの枝部２８Ｂとが、全長の半分程度同じＸ位置に位置する。これにより、同じパターンではあるが図１２の点灯位置よりは弱い光で発光層２４が発光する。
【００８３】
更に、図１４に示す消灯位置のように、第１基材１１及び第１電極１２Ｂを下溝３２ａ、３３ａに沿って−Ｘ方向の端部まで移動させる。この消灯位置では、第１電極１２Ｂの枝部１６Ｂと第２電極２２Ｂの枝部２８Ｂとが、ほとんど同じＸ位置に位置しない。この結果、発光層２４が消灯する。
【００８４】
（第４実施形態）
次に、上述した実施形態を部分的に変更した第４実施形態について説明する。図１５は、第４実施形態による無機ＥＬ発光装置の全体斜視図である。図１６は、無機ＥＬ発光装置の分解図である。尚、上述した実施形態と同様の構成は、同じ符号を付けて説明する。
【００８５】
図１５及び図１６に示すように、第４実施形態による無機ＥＬ発光装置１Ｃは、平面視にて略半円形状に形成されている。
【００８６】
図１５に示すように、第４実施形態による無機ＥＬ発光装置１Ｃでは、本体下部２Ｃと、本体上部３Ｃと、軸部材５とを備えている。
【００８７】
図１６に示すように、本体下部２Ｃは、基材１１Ｃと、第１電極１２Ｃと、保護層１３Ｃとを備えている。
【００８８】
基材１１Ｃと保護層１３Ｃは、平面視にて略半円形状に形成されている。基材１１Ｃと保護層１３Ｃの外周を構成する円の中心Ｔには、軸穴４１が形成されている。これ以外の基材１１Ｃと保護層１３Ｃの構成は、第１実施形態における基材１１及び保護層１３と同様の構成である。
【００８９】
第１電極１２Ｃは、主部１５Ｃと、４本の枝部１６Ｃとを備えている。
【００９０】
主部１５Ｃの一端部は、外部に露出している。この露出部には、外部の交流電源８１と接続される接続部１７Ｃが形成されている。主部１５Ｃの他端部は、円の中心Ｔと中心を同じくする円弧部１８Ｃが形成されている。円弧部１８Ｃは、基材１１Ｃの中心Ｔの近傍に形成されている。
【００９１】
４本の枝部１６Ｃは、円弧部１８Ｃから基材１１Ｃの外周に向かって放射状に延びている。尚、全ての枝部１６Ｃの延長線上は、中心Ｔ（即ち、軸部材５）となるように構成されている。隣接する枝部１６Ｃ間の回転方向の角度間隔は、全て４０°になるように配置されている。
【００９２】
図１６に示すように、本体上部３Ｃは、基材２１Ｃと、第２電極２２Ｃと、誘電体層２３Ｃと、発光層２４Ｃと、透明電極２５Ｃと、保護層２６Ｃとを備えている。尚、本体下部２Ｃと本体上部３Ｃは相対移動（回転移動）可能な別部品として構成されている。
【００９３】
基材２１Ｃと、誘電体層２３Ｃと、発光層２４Ｃと、保護層２６Ｃは、平面視にて、本体下部２Ｃと同じ略半円形状に形成されている。基材２１Ｃと、誘電体層２３Ｃと、発光層２４Ｃと、保護層２６Ｃを構成する円の中心Ｔには、軸穴４１が形成されている。これ以外の基材２１Ｃと、誘電体層２３Ｃと、発光層２４Ｃと、保護層２６Ｃの構成は、第１実施形態における基材２１と、誘電体層２３と、発光層２４と、保護層２６と同様の構成である。
【００９４】
第２電極２２Ｃは、主部２７Ｃと、４本の枝部２８Ｃとを備えている。
【００９５】
主部２７Ｃの一端部は、外部に露出している。この露出部には、外部の交流電源８１と接続される接続部２９Ｃが形成されている。第２電極２２Ｃの接続部２９Ｃは、第１電極１２Ｃの接続部１７Ｃと中心Ｔを挟み略反対側に形成されている。主部２７Ｃの他端部には、基材２１Ｃの外周を構成する円の中心Ｔと中心を同じくする円弧部３０Ｃが形成されている。円弧部３０Ｃは、基材２１Ｃの外周部の近傍に形成されている。
【００９６】
４本の枝部２８Ｃは、円弧部３０Ｃから中心Ｔに向かって放射状に延びている。尚、全ての枝部２８Ｃの延長線上は、中心Ｔ（即ち、軸部材５）となるように構成されている。隣接する枝部２８Ｃ間の回転方向の角度間隔は、全て４０°になるように配置されている。
【００９７】
軸部材５は、基材１１Ｃとを含む本体下部２Ｃと基材２１Ｃを含む本体上部３Ｃとを互いに回転可能に保持するためのものである。軸部材５は、ボルト４２と、ナット４３からなる。ボルト４２は、軸穴４１に挿通されている。ナット４３は、ボルト４２の下端部に螺合されている。
【００９８】
次に、第４実施形態による無機ＥＬ発光装置１Ｃの動作を説明する。図１７は、点灯位置における本体上部と本体下部の関係を示す平面図である。図１８は、消灯位置における本体上部と本体下部の関係を示す平面図である。
【００９９】
図１７に示すように、本体下部２Ｃと本体上部３Ｃとの外周の底辺（−Ｙ方向の辺）が一致する点灯位置では、第１電極１２Ｃの枝部１６Ｃと第２電極２２Ｃの枝部２８Ｃとが、互いに重複しない。これにより、発光層２４Ｃが、透明電極２５Ｃのパターンで発光する。
【０１００】
次に、図１８に示すように、本体下部２Ｃを軸部材５のボルト４２を中心として矢印Ｅ方向に２０°回転させる。これにより、第１電極１２Ｃの枝部１６Ｃと第２電極２２Ｃの枝部２８Ｃとが、平面視にて互いに重複する消灯位置となる。この結果、発光層２４Ｃは、消灯する。
【０１０１】
上述したように第４実施形態による無機ＥＬ発光装置１Ｃでは、軸部材５によって第１電極１２Ｃと第２電極２２Ｃとの相対位置を変更可能に枢支しているので、構成を簡略化することができる。
【０１０２】
（第５実施形態）
次に、上述した実施形態を部分的に変更した第５実施形態について説明する。図１９は、第５実施形態の無機ＥＬ発光装置の図１７相当図である。図２０は、第５実施形態の無機ＥＬ発光装置の動作を説明する図である。尚、上述した実施形態と同様の構成は、同じ符号を付けて説明する。
【０１０３】
第５実施形態による無機ＥＬ発光装置１Ｄは、第１電極１２Ｄ及び第２電極２２Ｄの形状が第４実施形態による無機ＥＬ発光装置１Ｄと異なる以外は、同じ構成を有する。
【０１０４】
図１９及び図２０に示すように、第１電極１２Ｄは、主部１５Ｄと、３本の枝部１６Ｄとを有する。主部１５Ｄの一端部は、外部に露出している。主部１５Ｄの露出部には、外部の交流電源８１と接続される接続部１７Ｄが形成されている。主部１５Ｄの接続部１７Ｄの内端部には、径方向に延びる径部１８Ｄが形成されている。
【０１０５】
３本の枝部１６Ｄは、所定の間隔を空けて径部１８Ｄから直交するように形成されている。枝部１６Ｄは、円弧状に形成されている。各枝部１６Ｄの半径はそれぞれ異なるが、各枝部１６Ｄの中心は、軸穴４１の中心Ｔと同じ位置となるように形成されている。
【０１０６】
第２電極２２Ｄは、主部２７Ｄと、枝部２８Ｄとを有する。主部２７Ｄの一端部は、外部に露出している。主部２７Ｄの露出部には、外部の交流電源８１と接続される接続部２９Ｄが形成されている。第２電極２２Ｄの接続部２９Ｄは、第１電極１２Ｄの接続部１７Ｄとは、中心Ｔを挟み略反対側の位置になるように形成されている。主部２７Ｄの内端部には、径方向に延びる径部３０Ｄが形成されている。
【０１０７】
３本の枝部２８Ｄは、所定の間隔を空けて径部３０Ｄから直交するように形成されている。枝部２８Ｄは、円弧状に形成されている。各枝部２８Ｄの半径はそれぞれ異なるが、各枝部２８Ｄの中心は、軸穴４１の中心Ｔと同じ位置となるように形成されている。第２電極２２Ｄの枝部２８Ｄ間に第１電極１２Ｄの枝部１６Ｄが配置可能に、枝部２８Ｄ間の間隔が形成されている。
【０１０８】
次に、第５実施形態による無機ＥＬ発光装置１Ｄの動作を説明する。
【０１０９】
図１９に示すように、本体下部２Ｄと本体上部３Ｄとの外周が一致する点灯位置では、第１電極１２Ｄの枝部１６Ｄ及び第２電極２２Ｄの枝部２８Ｄのほとんどが、半径方向において重複する。これにより、発光層２４Ｃが、透明電極２５Ｃのパターンで発光する。
【０１１０】
次に、図２０に示すように、軸部材５を中心として、本体下部２Ｄを矢印Ｅ方向に所定の角度回転させる。これにより、第１電極１２Ｄの枝部１６Ｄと第２電極２２Ｄの枝部２８Ｄとの半径方向において重複する領域が小さくなる。これにより、発光層２４Ｃでの発光が小さくなる。この後、更に軸部材５の周りに第１基材１１Ｄを、例えば、１８０°回転させることによって、発光層２４Ｃを消灯させることができる。
【０１１１】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【０１１２】
上述した各実施形態における部材は適宜変更可能である。例えば、各部材を構成する材料、形状等は適宜変更可能である。
【０１１３】
また、上述した実施形態では、本発明を無機ＥＬ発光装置に適用したが、有機ＥＬ発光装置に適用してもよい。
【０１１４】
また、上述した実施形態における第１電極及び第２電極の形状（パターン）は適宜変更可能である。また、第１電極及び第２電極を構成する材料は、銅、ニッケル、アルミニウム等を含むペーストによって構成してもよい。
【０１１５】
また、上述した実施形態では、本体下部が本体上部に対して移動するように構成したが、本体上部を本体下部に対して移動可能に構成してもよい。更に、本体上部を複数の部品によって構成し、第２電極が構成された部品のみを移動可能に構成してもよい。
【０１１６】
また、上述した実施形態では、本体下部が摺動可能に枠部を構成したが、本体下部及び本体上部を摺動可能に、または、本体上部のみを摺動可能に枠部を構成してもよい。即ち、枠部の上溝を本体上部よりも長く形成してもよい。
【０１１７】
また、上述した実施形態では、第１電極と第２電極とが重複可能に構成したが、第１電極と第２電極とが重複することなく、第１電極と第２電極との間の距離によって発光強度の強弱を調整するように構成してもよい。
【０１１８】
また、上述した実施形態では、摺動長さＬ３を
Ｌ３＝（Ｄ＋Ｗ）／２
と定義したが、下溝（または上溝）の両端による位置決め不要の場合は、摺動長さＬ３を
Ｌ３≧（Ｄ＋Ｗ）／２
としてもよい。
【図面の簡単な説明】
【０１１９】
【図１】第１実施形態による無機ＥＬ発光装置の点灯位置での全体斜視図である。
【図２】無機ＥＬ発光装置の分解図である。
【図３】本体下部及び本体上部の積層構造図である。
【図４】消灯位置での無機ＥＬ発光装置の全体斜視図である。
【図５】点灯時の本体上部と本体下部の位置関係を示す平面図である。
【図６】点灯位置と消灯位置の途中部での本体上部と本体下部の位置関係を示す平面図である。
【図７】消灯時の本体上部と本体下部の位置関係を示す平面図である。
【図８】第２実施形態の無機ＥＬ発光装置の図５相当図である。
【図９】第２実施形態の無機ＥＬ発光装置の図７相当図である。
【図１０】第２実施形態の変更形態の無機ＥＬ発光装置の図５相当図である。
【図１１】第２実施形態の変更形態の無機ＥＬ発光装置の図７相当図である。
【図１２】第３実施形態の無機ＥＬ発光装置の図５相当図である。
【図１３】第３実施形態の無機ＥＬ発光装置の図６相当図である。
【図１４】第３実施形態の無機ＥＬ発光装置の図７相当図である。
【図１５】第４実施形態による無機ＥＬ発光装置の全体斜視図である。
【図１６】無機ＥＬ発光装置の分解図である。
【図１７】点灯時の本体上部と本体下部の位置関係を示す平面図である。
【図１８】消灯時の本体上部と本体下部の位置関係を示す平面図である。
【図１９】第５実施形態の無機ＥＬ発光装置の図１７相当図である。
【図２０】第５実施形態の無機ＥＬ発光装置の動作を説明する図である。
【符号の説明】
【０１２０】
１、１Ａ、１Ａ’、１Ｂ、１Ｃ、１Ｄ 無機ＥＬ発光装置
２、２Ｃ、２Ｄ             本体下部
３、３Ｃ、３Ｄ             本体上部
４     枠部
５     軸部材
１１、１１Ｃ、１１Ｄ       基材
１２、１２Ａ、１２Ａ’、１２Ｂ、１２Ｃ、１２Ｄ   第１電極
１３、１３Ｃ  保護層
１５、１５Ｂ、１５Ｃ、１５Ｄ       主部
１６、１６Ａ、１６Ａ’、１６Ｂ、１６Ｃ、１６Ｄ   枝部
１７、１７Ｃ、１７Ｄ       接続部
１８Ｃ       円弧部
１８Ｄ       径部
２１、２１Ｃ  基材
２２、２２Ａ、２２Ａ’、２２Ｂ、２２Ｃ、２２Ｄ   第２電極
２３、２３Ｃ  誘電体層
２４、２４Ｃ  発光層
２５、２５Ｃ  透明電極
２６、２６Ｃ  保護層
２７、２７Ｃ、２７Ｄ       主部
２８、２８Ａ、２８Ａ’、２８Ｂ、２８Ｃ、２８Ｄ   枝部
２９、２９Ｃ、２９Ｄ 接続部
３０Ｃ       円弧部
３０Ｄ       径部
３１   底面部
３２、３３    側面部
３２ａ、３３ａ             下溝
３２ｂ、３３ｂ             上溝
４１   軸穴
４２   ボルト
４３   ナット
８１   交流電源
Ｌ１、Ｌ２、Ｌ３     長さ
Ｔ     中心
Ｗ     幅
Ｄ     間隔
【図１】
2010129436.tif 000003
【図２】
2010129436.tif 000004
【図３】
2010129436.tif 000005
【図４】
2010129436.tif 000006
【図５】
2010129436.tif 000007
【図６】
2010129436.tif 000008
【図７】
2010129436.tif 000009
【図８】
2010129436.tif 000010
【図９】
2010129436.tif 000011
【図１０】
2010129436.tif 000012
【図１１】
2010129436.tif 000013
【図１２】
2010129436.tif 000014
【図１３】
2010129436.tif 000015
【図１４】
2010129436.tif 000016
【図１５】
2010129436.tif 000017
【図１６】
2010129436.tif 000018
【図１７】
2010129436.tif 000019
【図１８】
2010129436.tif 000020
【図１９】
2010129436.tif 000021
【図２０】
2010129436.tif 000022